(57)【要約】      （修正有）【課題】刷毛・櫛・容器・計量  混合  加温・保存の機能を兼ねた美容器具の提供。【解決手段】軟質プラスチツク容器１に吐出口を開口した金属筒３を組合せる。【選択図】図１
0003131319.tif 000002
【実用新案登録請求の範囲】
【請求項１】
軟質プラスチツク製の美容・食品・理化学容器に金属筒の金具を・取り付けた  髪染め用の美容器具
【請求項２】
金属筒の先端外形寸法を  ３・５ｍｍから  ４ｍｍに加工した  請求項１の美容器具。
【請求項３】
金属筒の根元端外形寸法を  ７・０ｍｍから８・０ｍｍに加工した・請求項１の美容器具。
【請求項４】
金属筒の全長寸法を５０ｍｍから６０ｍｍに加工した  請求項１の美容器具
【請求項５】
金属筒の頂部に０・８ｍｍΦから３・０ｍｍΦ」で開孔した・請求項１の美容器具
【考案の詳細な説明】
【考案の詳細な説明】
【技術分野】
【０００１】  本考案は、髪染めに便利な。美容器具に関するものです・
【背景技術】
【０００２】  素天然材１００％のヘナ・ハ〜ブ等での髪染め・は刷毛が使用されています  独染めは錬度がいる為に  美容サロンでの施術が一般的です・
【考案が解決しようとする課題】
【０００３】刷毛・櫛・容器・計量  混合  加温・保存の機能を兼ねた美容器具の開発です・
【課題を解決するための手段】
【０００４】軟質プラスチツク容器に吐出口を開口した金属筒を組合せる・
【考案を実施するための最良の形態】
【０００５】  素天然材１００％の  ヘナ・ハ〜ブ等での髪染法の特性として  温度  ＰＨ  練り水  等が関与する【０００６】容器に望む条件  として押圧によつて  吐出量が加減できる【０００７】容器に望む条件  として温度によつて  変形量が加減できる【０００８】容器に望む条件  としてＰＨによつて  変質量が加減できる【０００９】容器に望む条件  として保存によつて  変色量が加減できる【００１０】容器に望む条件  として角度によつて  塗布位置が加減できる【００１１】容器に望む条件  として時間によつて  発酵量が加減できる【００１２】金属筒に望む条件  として接触圧によつて  頭皮に優しいツボ押しが出来る【００１３】金属筒に望む条件  として孔径によつて  吐出量が加減できる
金属筒に望む条件  として先端外形寸法によつて  髪振り分け量が加減できる
【実施例】
【００１４】
0003131319.tif 000003
抜け毛  髪太りに変化が実感できる塗布回数  及び  期間については  髪質によつて  人それぞれ異なる
平均的に３ケ月  １０回が目安としている  髪の色に関しては  根元  毛先とは大きく異なる
従つて  根元のヘナ配合に於いては  インデイゴの割合が  ５０％となる。
上の表は、おしゃれ染めで髪質の改善を主たるものとした配合です。
【実施例】
【００１５】重量は  ２００グラム  容量１５０ＣＣが最大練ヘナペースト量となる・【００１６】ヘナの発色を促進する場合に  ６０度−７０度の熱い湯で堅く練ります  そして  １時間位そのまま置く塗布する際に再度熱い湯で粘度を整える
本考案を活用すると  ホカロンを容器に張り付けて  保温袋に収納し１０時間くらい４０度を保てる  ヘナ  ハーブ等を発酵させて育毛・発色成分が髪に浸透し易いように出来る。【００１７】実施術では  ２個の本考案容器を活用して  根元白髪ぼかし  及び  全体おしゃれ染め  に活用する・【００１８】生え際  モミアゲ  耳周り  等には重ね塗り３−４回すると  キレイに仕上がる【００１９】タトウ  オイルを１％  １００グラムの練りペーストに１グラムの割合で加えると生え際の乾燥が遅くに保てる  さらに  洗髪した時のギシギシ感も和らげられる
【考案の効果】
【００２０】（ア）本考案に係る技法に対しては  インド伝承の信頼あるものから  基本技を取り入・。
（イ）温め効果、を活用すると３ケ月位で元気な髪へと変わる  毛穴の中から抜け毛予防も期待できる。
（ウ）独り染めの技法は  簡単で手袋と本考案容器があれば  いつでも  どこでも出来る。
（エ）天然素材なので簡単に洗髪できて洗った水にも一切の有害物は含まれていない環境に優しい。
（オ）素材が身体に接触しても、香りを吸収しても健康上無害である  障害のある方々にもわずかな訓練によって、自分髪への塗布が可能となる。
品揃えの、まこも草は  日本伝承の薬草として頭皮若返りに可能性がある。１０％配合。
【図面の簡単な説明】
【００２１】
【図１】  考案容器の斜視図
【図２】  関連用品の取り合図
【符号の説明】
【００２２】１容器本体
２容器キャップ
３金属筒
４キャップ付ロート
５ロート栓
【図１】
0003131319.tif 000004
【図２】
0003131319.tif 000005
【手続補正書】
【提出日】平成18年11月16日(2006.11.16)
【手続補正１】
【補正対象書類名】明細書
【補正対象項目名】全文
【補正方法】変更
【補正の内容】
【考案の詳細な説明】
【実用新案登録請求の範囲】
【請求項１】
軟質プラスチツク製の美容・食品・理化学容器に金属筒の金具を・取り付けた  髪染め用の美容器具。
【請求項２】
金属筒の先端外形寸法を  ３・５ｍｍから  ４ｍｍに加工した  請求項１の美容器具。
【請求項３】
金属筒の根元端外形寸法を  ７・０ｍｍから８・０ｍｍに加工した・請求項１の美容器具。
【請求項４】
金属筒の全長寸法を５０ｍｍから６０ｍｍに加工した  請求項１の美容器具。
【請求項５】
金属筒の頂部に０・８ｍｍΦから３・０ｍｍΦ」で開孔した・請求項１の美容器具。
【考案の詳細な説明】
【技術分野】
【０００１】本考案は、髪染めに便利な。美容器具に関するものです。
【背景技術】
【０００２】素天然材１００％のヘナ・ハ〜ブ等での髪染めには刷毛が使用されています  独染めは錬度がいる為に  美容サロンでの施術が一般的です。
【考案が解決しようとする課題】
【０００３】刷毛・櫛・容器・計量  混合  加温・保存の機能を兼ねた美容器具の考案です。
【課題を解決するための手段】
【０００４】軟質プラスチツク製の容器に吐出口を開孔した金属筒を組合せる。
【考案を実施するための最良の形態】
【０００５】素天然材１００％の  ヘナ・ハ〜ブ等での髪染法の特性として  温度  ＰＨ  練り水  醗酵  塗布放置時間等が関与する。これ等の最適な条件を整へる技法を器具化で簡単にできた。【０００６】容器に望む条件  として押圧によって  吐出量が加減できる  高粘度や少量取り出しも可能とする。【０００７】容器に望む条件  として温度によつて  変形量が加減できる  電子レンジでの加温も可能とする。【０００８】容器に望む条件  としてＰＨによって  変質量が加減できる  ヨーグルト、アルカリ水、酒も可能とする。【０００９】容器に望む条件  として保存によつて  変色量が加減できる  練った後の発色物抽出時間の調整が可能とする。【００１０】容器に望む条件  として角度によつて  塗布位置が加減できる  頭頂、生え際など３６０℃全角度が可能とする。【００１１】容器に望む条件  として時間によって  発酵量が加減できる  練った後の加温４０℃の保持時間が調節可能とする。【００１２】金属筒に望む条件  として吐出圧によって  頭皮に油を少量塗布、手袋で手で揉み込みツボ押しが出来る。【００１３】金属筒に望む条件  として孔径によつて  吐出量が加減できる  水、油は０．８Φ、ペースト２．０Φ  米ヌカ  唐ガラシ３．０Φと孔径選択が可能とする。【００１４】金属筒に望む条件  として先端外形寸法によつて  髪振り分け量が加減できる  先端を３．６Φｍ／ｍと頭皮を痛めない先丸を可能とする。
【実施例】
【００１５】
【表１】
0003131319.tif 000006
抜け毛  髪太りに変化が実感できる塗布回数  及び  期間については  髪質によって  人それぞれ異なる平均的に２ケ月  １０回が目安としている    髪の色に関しては  根元  毛先とは配合大きく異なる  ２種類練る。従つて  根元のヘナ配合に於いては  インデイゴの割合が  ４０％となる。
上の表は、おしゃれ染めで髪質の改善を主たるものとした配合です。
【実施例】重量は  ２００グラム  容量１５０ＣＣが最大練ヘナペースト量となる。【００１６】ヘナの発色を促進する場合に  ６０度−７０度の熱い湯で堅く練ります  そして  １時間位そのまま置く塗布する際に再度熱い湯で粘度を整える
本考案を活用すると  ホカロンを容器に張り付けて  保温袋に収納し１０時間くらい４０度を保てる  ヘナ  ハーブ等を発酵させて育毛・発色成分が髪に浸透し易いように出来る。【００１７】実施術では  ２個の本考案容器を活用して  根元白髪ぼかし  及び  全体おしゃれ染めで２種類に配合を変えた時に活用する。【００１８】生え際  モミアゲ  耳周り  等には重ね塗り３−４回すると  キレイに仕上がる。少量を硬練りして、金属筒より塗布場所に吐出させる。【００１９】タトウ  オイルを１％位  １００グラムの練りペーストに１グラムの割合で加えると生え際の乾燥が遅くに保てる  さらに  洗髪した時のギシギシ感も和らげられる  ロートを使って混練済みのペーストを容器に詰める。【００２０】ユーザーセミナー研修資料  Ｈｅａｄビューティー  Ｐｒｏ  研修本部が１０回を２ヶ月間で実施する際の染髪プログラム表。
【表２】
0003131319.tif 000007
【００２１】髪ケア用品と素材プログラム表  使用量はユーザーセミナー研修コース分です。
【表３】
0003131319.tif 000008
【考案の効果】
（ア）本考案に係る技法に対しては  インド伝承の信頼あるものから  基本技を取り入。
（イ）温め効果、を活用すると３ケ月位で元気な髪へと変わる  毛穴の中からキレイにできて抜け毛予防も期待できる。
（ウ）独り染めの技法は  簡単で手袋と木筆兼用木栓付き、ロート、バンダナ凸型タオルと本考案容器があれば  いつでも  どこでも出来る。
（エ）天然素材なので簡単に洗髪できて洗った水にも一切の有害物は含まれていない環境に優しい。
（オ）素材が身体に接触しても、香りを吸収しても健康上無害である  障害のある方々にもわずかな訓練によって、自分髪への髪化粧が可能となる。
（カ）品揃えの、まこも草は  日本伝承の薬草として頭皮若返りに可能性がある。１０％配合位でボトルの中に混練して詰ることが簡単になった。
【図面の簡単な説明】
【図１】  考案容器の斜視図
【図２】  関連用品の取り合図
【図３】  自分髪への塗布取り合い
【符号の説明】
１容器本体
２容器キャップ
３金属筒
４キャップ付ロート
５ロート栓
【手続補正２】
【補正対象書類名】図面
【補正対象項目名】全図
【補正方法】変更
【補正の内容】
【図１】
0003131319.tif 000009
【図２】
0003131319.tif 000010
【図３】
0003131319.tif 000011
【手続補正書】
【提出日】平成19年2月22日(2007.2.22)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
軟質プラスチツク製の美容・食品・理化学容器に金属筒の金具を・取り付けた髪染め用の美容器具。
【請求項２】
金属筒の先端外形寸法を  ３・５ｍｍから  ４ｍｍに加工した  請求項１の美容器具。
【請求項３】
金属筒の根元端外形寸法を  ７・０ｍｍから８・０ｍｍに加工した・請求項１の美容器具。
【請求項４】
金属筒の全長寸法を５０ｍｍから６０ｍｍに加工した  請求項１の美容器具。
【請求項５】
金属筒の頂部に０・８ｍｍΦから３・０ｍｍΦ」で開孔した・請求項１の美容器具。
【手続補正２】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【考案の詳細な説明】
【技術分野】
【０００１】本考案は、髪染めに便利な。美容器具に関するものです。
【背景技術】
【０００２】素天然材１００％のヘナ・ハ〜ブ等での髪染めには刷毛が使用されています  独染めは錬度がいる為に  美容サロンでの施術が一般的です。
【考案が解決しようとする課題】
【０００３】刷毛・櫛・容器・計量  混合  加温・保存の機能を兼ねた美容器具の考案です。
【課題を解決するための手段】
【０００４】軟質プラスチツク製の容器に吐出口を開孔した金属筒を組合せる。
【考案を実施するための最良の形態】
【０００５】素天然材１００％の  ヘナ・ハ〜ブ等での髪染法の特性として  温度  ＰＨ  練り水  醗酵  塗布放置時間等が関与する。これ等の最適な条件を整へる技法を器具化で簡単にできた。【０００６】容器に望む条件  として押圧によつて  吐出量が加減できる  高粘度や少量取り出しも可能とする。【０００７】容器に望む条件  として温度によつて  変形量が加減できる  電子レンジでの加温も可能とする。【０００８】容器に望む条件  としてＰＨによって  変質量が加減できる  ヨーグルト、アルカリ水、酒も可能とする。【０００９】容器に望む条件  として保存によつて  変色量が加減できる  練った後の発色物抽出時間の調整が可能とする。【００１０】容器に望む条件  として角度によって  塗布位置が加減できる  頭頂、生え際など３６０℃全角度が可能とする。【００１１】容器に望む条件  として時間によつて  発酵量が加減できる  練った後の加温４０℃の保持時間が調節可能とする。【００１２】金属筒に望む条件  として吐出圧によつて  頭皮に油を少量塗布、手袋で手で揉み込みツボ押しが出来る。【００１３】金属筒に望む条件  として孔径によつて  吐出量が加減できる  水、油は０．８Φ、ペースト２．０Φ  米ヌカ  唐ガラシ３．０Φと孔径選択が可能とする。【００１４】金属筒に望む条件  として先端外形寸法によつて  髪振り分け量が加減できる  先端を３．６Φｍ／ｍと頭皮を痛めない先丸を可能とする。
【実施例】
【００１５】
【表１】
0003131319.tif 000012
抜け毛  髪太りに変化が実感できる塗布回数  及び  期間については  髪質によつて  人それぞれ異なる  平均的に２ケ月  １０回が目安としている    髪の色に関しては  根元  毛先とは配合大きく異なる  ２種類練る。従つて  根元のヘナ配合に於いては  インデイゴの割合が  ４０％となる。
上の表は、おしゃれ染めで髪質の改善を主たるものとした配合です。
【実施例】重量は  ２００グラム  容量１５０ＣＣが最大練ヘナペースト量となる。【００１６】ヘナの発色を促進する場合に  ６０度−７０度の熱い湯で堅く練ります  そして  １時間位そのまま置く塗布する際に再度熱い湯で粘度を整える
本考案を活用すると  ホカロンを容器に張り付けて  保温袋に収納し１０時間くらい４０度を保てる  ヘナ  ハーブ等を発酵させて育毛・発色成分が髪に浸透し易いように出来る。【００１７】実施術では  ２個の本考案容器を活用して  根元白髪ぼかし  及び  全体おしゃれ染めで２種類に配合を変えた時に活用する。【００１８】生え際  モミアゲ  耳周り  等には重ね塗り３−４回すると  キレイに仕上がる。少量を硬練りして、金属筒より塗布場所に吐出させる。【００１９】タトウ  オイルを１％位  １００グラムの練りペーストに１グラムの割合で加えると生え際の乾燥が遅くに保てる  さらに  洗髪した時のギシギシ感も和らげられる  ロートを使って混練済みのペーストを容器に詰める。【００２０】ユーザーセミナー研修資料  Ｈｅａｄビューティー  Ｐｒｏ  研修本部が１０回を２ヶ月間で実施する際の染髪プログラム表。
【表２】
0003131319.tif 000013
【００２１】髪ケア用品と素材プログラム表  使用量はユーザーセミナー研修コース分です。
【表３】
0003131319.tif 000014
【考案の効果】
（ア）本考案に係る技法に対しては  インド伝承の信頼あるものから  基本技を取り入。
（イ）温め効果、を活用すると３ケ月位で元気な髪へと変わる  毛穴の中からキレイにできて抜け毛予防も期待できる。
（ウ）独り染めの技法は  簡単で手袋と木筆兼用木栓付き、ロート、バンダナ凸型タオルと本考案容器があれば  いつでも  どこでも出来る。
（エ）天然素材なので簡単に洗髪できて洗った水にも一切の有害物は含まれていない環境に優しい。
（オ）素材が身体に接触しても、香りを吸収しても健康上無害である  障害のある方々にもわずかな訓練によって、自分髪への髪化粧が可能となる。
（カ）品揃えの、まこも草は  日本伝承の薬草として頭皮若返りに可能性がある。１０％配合位でボトルの中に混練して詰ることが簡単になった。
【図面の簡単な説明】
【００２２】
【図１】  考案容器の斜視図
【図２】  関連用品の取り合図
【図３】  自分髪への塗布取り合い
【符号の説明】
【００２３】１容器本体
２容器キャップ
３金属筒
４キャップ付ロート
５ロート栓